(57)【特許請求の範囲】
【請求項１】
基地局であって、
所定の電力レベルで前記基地局から発せられたパイロット信号を用いて無線通信サービスを第１の無線通信装置に提供するように構成された無線インターフェースと、
前記基地局がサービスを提供するエリア内で第２の無線通信装置を検出するように構成された検出器と、
前記第２の無線通信装置を検出したことに応じて、前記パイロット信号の電力レベルを前記所定の電力レベルよりも高くするように構成されたコントローラと、
を含む基地局。
【請求項２】
前記所定の電力レベルは、前記パイロット信号の公称電力レベルよりも低い低減された電力レベルである請求項１に記載の基地局。
【請求項３】
前記低減された電力レベルは、前記第１及び前記第２の無線通信装置以外の装置への干渉を最小化するために設定される請求項２に記載の基地局。
【請求項４】
前記コントローラは、所定の時間にわたって前記パイロット信号の電力レベルを徐々に上げるように構成される請求項１に記載の基地局。
【請求項５】
前記第２の無線通信装置が検出された後、１つ以上の電力制御コマンドを前記第１の無線通信装置に送信するように構成された送信機をさらに備える請求項１に記載の基地局。
【請求項６】
前記電力制御コマンドは、前記第１の無線通信装置に対して送信電力レベルを維持することを指示する請求項５に記載の基地局。
【請求項７】
前記電力制御コマンドは、前記基地局が前記パイロット信号の前記電力レベルを上げる前に発生する請求項６に記載の基地局。
【請求項８】
前記基地局は、フェムトセル基地局である請求項１に記載の基地局。
【請求項９】
前記コントローラは、前記第２の無線通信装置が前記基地局からのサービスを受ける権限があるかどうかを判断するようにさらに構成される請求項１に記載の基地局。
【請求項１０】
前記所定の電力レベルは、前記基地局と前記第１の無線通信装置との間のエアリンクの質に基づくものである請求項１に記載の基地局。
【請求項１１】
基地局からのパイロット信号の送信を管理する方法であって、
所定の電力レベルで前記基地局から発せられたパイロット信号を用いて第１の無線通信装置にサービスを提供し、
前記基地局がサービスを提供するエリア内で第２の無線通信装置を検出し、
前記第２の無線通信装置の検出に応じて、前記パイロット信号の電力レベルを前記所定の電力レベルよりも高くする、
ことを含む方法。
【請求項１２】
前記第２の無線通信装置の検出において、前記第２の無線通信装置から送信された検出信号を受信することをさらに含む請求項１１に記載の方法。
【請求項１３】
前記検出信号は、他の基地局に送信された上りリンク通信信号である請求項１２に記載の方法。
【請求項１４】
前記第２の無線通信装置に対応する長符号マスクを用いて前記上りリンク通信信号を復号することをさらに含み、前記上りリンク信号の復号に成功した場合に前記上りリンク通信信号が検出される請求項１３に記載の方法。
【請求項１５】
前記パイロット信号は、通信パイロット信号である請求項１１に記載の方法。
【請求項１６】
前記所定の電力レベルは、前記パイロット信号の通常電力レベルよりも低い低減された電力レベルである請求項１１に記載の方法。
【請求項１７】
前記第１及び前記第２の無線通信装置以外の装置への干渉を最小化するために前記低減された電力レベルを設定することをさらに含む請求項１６に記載の方法。
【請求項１８】
高くすることは、前記パイロット信号の電力レベルを所定の時間にわたって徐々に上げることを含む請求項１１に記載の方法。
【請求項１９】
前記第２の無線通信装置を検出した後かつ前記パイロット信号の電力レベルを上げる前に、１つ以上の電力制御コマンドを前記第１の無線通信装置に送信することをさらに含む請求項１１に記載の方法。
【請求項２０】
前記電力制御コマンドの送信は、前記基地局が前記パイロット信号の前記電力レベルを上げる前に発生する請求項１９に記載の方法。
【発明の詳細な説明】
【技術分野】
【０００１】
本発明は、概して無線通信システム関し、より詳細には、無線通信システムにおけるパイロット信号の送信管理に関する。
【背景技術】
【０００２】
セルラ通信システムの基地局は、各基地局が対応するセル内で無線通信装置と信号を交換する地理的セル内の無線通信装置に通信サービスを提供する。各セルの大きさや形状は、いくつかの要素によって決定され、少なくとも部分的に基地局の設計パラメータに基づいて決まる。比較的大きな地理的エリア内の多くの装置にサービスを提供する大きなマクロセルの他に、より小さなセルを利用して、効率を上げ、カバレッジを向上し、サービスの質を改善し、追加的なサービスを提供しているセルラ通信システムが増えている。より小さなセルとは、通常ミクロセル、ピコセル及びフェムトセルと呼ばれる様々な大きさのものを含みうる。ミクロセル及びピコセルは、追加的なセキュリティの提供や、該当エリアにおけるユーザキャパシティの拡大、追加的なサービス機能の提供、及び／又は、サービスの質の改善のために、オフィスビル、ショッピングセンター及び都市部において実施されることが多い。フェムトセルは、比較的小さい地理的エリアを有し、通常は、住宅又は小規模事業所において実施される。一般的なセルラバックホールリソースは、これらの場所では利用できないことがあるので、フェムトセルは、ＤＳＬ又はケーブルモデムを介してセルラのインフラストラクチャに接続されることがある。フェムトセルは、セルラネットワークの一部であり、それ故にマクロセルによって用いられる技術と同じ技術を用いて無線装置と通信する。従って、フェムトセル基地局も、無線通信装置との通信を可能とするため、パイロット信号をブロードキャストしなければならない。フェムトセルは、限られた数の認証されたユーザだけにサービスを提供するので、フェムトセルからのパイロット信号の送信は、その特定のフェムトセルで動作していない非認証の無線通信装置に干渉してしまう可能性が高い。パイロット信号による干渉は、エリア内のフェムトセルの数と共に増加する。
【０００３】
従って、地理的に重なった又は近接したエリアにサービスを提供する基地局からのパイロット信号送信によって起こる干渉を低減する必要がある。
【発明の概要】
【０００４】
マルチセル無線ネットワークにおける他の基地局及び装置との干渉を低減するように構成される基地局が開示される。前記基地局は、無線インターフェースと、検出器と、コントローラとを含む。前記無線インターフェースは、干渉を低減するために前記基地局から低減された電力レベルで発せられるパイロット信号を用いて第１の無線通信装置（ＷＣＤ）に対してサービスを提供可能である。パイロット低減モードにおいて、前記検出器が前記基地局のサービスエリア内で第２のＷＣＤを検出すると、当該第２のＷＣＤとの通信を確立するために、前記コントローラは、前記パイロット信号の電力レベルを前記低減された電力レベルよりも高くする。前記基地局は、前記第１及び前記第２のＷＣＤとの接続に成功すると、前記パイロット信号の電力レベルを再び低減することによって他の基地局又は装置への干渉を低減できる。
【０００５】
開示した基地局の他の態様、特徴、利点及び、基地局のパイロット信号を送信する関連の方法が、当業者には明らかとなる、又は、以下の特徴及び詳細な説明を検討することで明らかとなる。全てのそのような追加的な態様、特徴、方法、利点が本明細書に含まれ、添付の請求項により保護されることを意図するものである。
【図面の簡単な説明】
【０００６】
なお、図面は単に例示を目的とするものであり、添付した請求項の範囲を必ずしも定義するものではない。さらに、図面における構成要素は、必ずしも縮尺通りではない。図面では、同様の参照符号は、異なる図面を通じて対応する部分を指定する。
【図１】例示的な通信システムのブロック図である。
【図２Ａ】検出基地局の地理的サービスエリアが発側基地局の地理的発側サービスエリア内にある、発側基地局及び検出基地局によって提供される例示的な地理的サービスエリアの関係の説明図である。
【図２Ｂ】検出基地局の地理的サービスエリアが発側基地局の地理的発側サービスエリアと重なる、発側基地局及び検出基地局によって提供される例示的な地理的サービスエリアの関係の説明図である。
【図２Ｃ】検出基地局の地理的サービスエリアが発側基地局の地理的発側サービスエリアと重ならない、発側基地局及び検出基地局によって提供された例示的な地理的サービスエリアの関係の説明図である。
【図３】パイロット信号が、発側基地局によって送信された通信パイロット信号の周波数（Ｆ１）と同じ周波数（Ｆ１）を有する通信パイロット信号である無線通信システムのブロック図である。
【図４】パイロット信号が、発側基地局によって送信された通信パイロット信号の周波数（Ｆ１）と異なる周波数（Ｆ２）を有する通信パイロット信号である無線通信システムのブロック図である。
【図５】パイロット信号がビーコンパイロット信号である無線通信システムのブロック図である。
【図６】検出信号が、傍受された上りリンク（逆方向リンク）セルラ信号である例示的な通信システムのブロック図である。
【図７】ＷＣＤの有無が検出信号の検出に基づいて判断される、ＷＣＤに対する無線サービスを管理する方法のフローチャートである。
【図８】検出信号が認証されたＷＣＤによって送信された上りリンク信号である、パイロット信号の送信を管理する方法のフローチャートである。
【図９】検出基地局へのＷＣＤの近接が検出信号に基づいて判断される、パイロット信号の送信を管理する方法のフローチャートである。
【図１０】検出基地局の範囲内に第２の認証されたＷＣＤが入るシナリオを説明する通信システムのブロック図である。
【図１１】第２の認証されたＷＣＤが検出される場合のパイロット信号の送信を管理する方法のフローチャートである。
【発明を実施するための形態】
【０００７】
図面を参照し組み込んだ以下の詳細な説明は、本発明の１つ以上の具体的な実施形態を説明し図示するものである。本発明を限定するためではなく、本発明を単に例証し教示するために提供されるこれらの実施形態を、当業者が本発明を実践できるようにするために十分に詳細に示し説明する。よって、本発明を不明瞭にすることを回避することが妥当であれば、当業者にとって公知の情報の説明を省略することがある。
【０００８】
本開示全体に用いられる「例示的」という用語は、「例、事例又は一例の役割をする」ことを意味するものである。本明細書に「例示的なもの」として説明した如何なる実施形態又は特徴は、必ずしも、他の実施形態又は特徴よりも好適である又はより利点を有するものとして解釈されるべきものではない。
【０００９】
図１は、例示的な通信システム１００のブロック図である。通信システム１００は、数多くの技術及び通信規格の何れかに従って実施されてもよい。例示的な実施形態において、システムは、ｃｄｍａ２０００  １ｘ等の符号分割多元接続（ＣＤＭＡ）規格に従って動作する。他の適切な通信規格の例としては、１ｘＥＶ−ＤＯ及びＷ−ＣＤＭＡ、ＵＭＴＳ及びＧＳＭ規格等の他のＣＤＭＡ規格及びＷｉ−ＭＡＸ等のＯＦＤＭに基づく規格が含まれる。通信システム１００に関して説明した様々なブロックの機能及び動作は、任意の数の装置、回路及び／又は構成素子並びにソフトウェア及びファームウェア等の実行可能なコードの様々な形式において実施してもよい。図１の２つ以上の機能ブロックを、単一の装置に組み合わせてもよいし、任意の単一の装置において行われると説明した機能を、いくつかの装置において実施してもよい。例えば、システムインフラストラクチャ１０２の機能は、状況によっては、少なくとも部分的に基地局１０４、基地局コントローラ又は、モバイル切換センター（ＭＳＣ）によって実行されてよい。
【００１０】
通信システム１００は、１つ以上の基地局１０４，１０６に接続されたシステムインフラストラクチャ１０２を含む。基地局１０４，１０６と１つ以上の無線通信装置との間の通信は、少なくとも部分的にシステムインフラストラクチャ１０２によって管理される。無線通信装置（ＷＣＤ）１０８が特定の基地局と通信するためには、ＷＣＤ１０８は、その特定の基地局から送信された通信パイロット信号を適切に受信しなければならない。しかしながら、他の種類のパイロット信号が、ハンドオフ及び他の機能をアシストするために送信されてもよい。例えば、ある状況では、ビーコンパイロット信号が送信されて１つのサービス地域から他のサービス地域へのハンドオフ及び／又は１つの基地局から他の基地局へのハンドオフを容易にしている。ビーコンパイロット信号の提供する情報は限定されているが、ビーコンパイロット信号は、通常は通信パイロット信号としては用いられず、通常は通信パイロット信号とは異なる周波数チャネルにおいて運用される。そのため、本明細書において議論するように、パイロット信号は、特定の周波数で送信された信号であり、通信パイロット信号及びビーコンパイロット信号を含む。通信パイロット信号は、ＷＣＤと基地局との間の通信に用いられ、ＷＣＤに情報を提供して制御、同期及び他の通信機能を容易にしている。例えば、通信パイロット信号は、タイミング基準及びチャネル情報を提供してもよい。ビーコンパイロット信号は、検出やハンドオフ等の他の機能を容易にするために用いる。
【００１１】
図１に図示した例示的な状況について、ＷＣＤ１０８は、発側基地局１０６と通信し、基地局１０６が送信した通信パイロット信号１１０を受信している。発側基地局１０６は、制御とタイミング情報を提供する通信パイロット信号１１０を生成し、ＷＣＤ１０８に送信する。検出基地局１０４がＷＣＤ１０８の存在を検出すると、基地局１０４は、パイロット信号１１２を送信する。特定の実施例によると、パイロット信号１１２は、通信パイロット信号又はビーコンパイロット信号であってもよい。パイロット信号１１２がビーコンパイロット信号の場合、検出基地局１０４も発側基地局１０６から検出基地局１０４へのＷＣＤ１０８のハンドオフに先立って通信パイロット信号を送信する。
【００１２】
ＷＣＤ１０８によって送信された検出信号１１４に基づいて、基地局１０４内のＷＣＤ検出器１１６は、基地局１０４にアクセスする権限があるＷＣＤ１０８の存在を検出する。基地局１０４の送信機１１８は、ＷＣＤ１０８が通信のために基地局１０４に十分に近いと判断されるまでパイロット信号１１２を送信しない。従って、パイロット信号１１２の送信を示す矢印及びブロックを、図１に破線で図示して、パイロット信号１１２が連続的には送信されないことを示している。状況によっては、検出信号１１４のＷＣＤ１１６検出器による検出により、ＷＣＤ１０８が存在し、パイロット信号１１２が送信されるべきであることを十分判断可能である。そのため、検出信号１１４の特徴は、特定の実施例に基づいて、多くの閾値のうちの何れかを有する多くのパラメータのうちの何れかであってもよく、特徴は、検出信号１１４が基地局の受信機によって検出可能かどうかであってもよい。他の特徴の例としては、信号雑音比（ＳＮＲ）、ビット誤り率（ＢＥＲ）、電力レベル、信号伝搬時間及び、特定のデータの有無が含まれる。ある構成では、信号の特徴として、基地局の認証されたユーザに対応する長符号マスクを用いて、基地局が検出信号１１４を復調し復号することができる。
【００１３】
基地局１０４，１０６は、一般的にセルと呼ばれる地理的サービスエリア内に無線サービスを提供する。図２Ａ、図２Ｂ及び図２Ｃを参照して以下に議論するように、発側基地局１０６は、基地局１０４の地理的サービスエリアと重なるか、完全に包囲するか、分離した地理的サービスエリア内に無線サービスを提供するマクロセル基地局であってもよい。以下に議論するように、装置検出器１１６を有する基地局１０４は、基地局１０４がフェムトセル内の無線通信サービスを認証されたユーザに提供するセルラ通信システム内で適切に実施される。しかしながら、基地局１０４は、他の状況においては、下りリンク（順方向リンク）パイロット信号を要求する通信システム内の他の適当な種類の任意の基地局であってもよい。
【００１４】
検出信号１１４は、ＷＣＤ検出器１１６に対して少なくともＷＣＤ１０８の存在を示すのに適した任意の無線信号であってもよい。検出信号１０６の例には、セルラ、Ｂｌｕｅｔｏｏｔｈ、ＮＦＣ（Ｎｅａｒ−Ｆｉｅｌｄ  Ｃｏｍｍｕｎｉｃａｔｉｏｎ）及び、ＷｉＦｉ信号等の光信号及び無線周波数（ＲＦ）信号が含まれる。ある構成においては、検出信号は、ＷＣＤと発側基地局１０６との間の無線通信に従って送信される逆方向リンク（上りリンク）通信信号である。検出信号１１４が上りリンクセルラ信号以外の信号である場合、共通ソースクロック及び／又は所定の送信スケジュールを用いてもよい。そのため、そのような例では、検出信号１１４の送信は、発側基地局によって用いられるクロックと同期され、フェムトセル基地局は、検出信号の監視を、発側基地局のクロックと同じ基準に同期された時間ソースに同期させる。従って、検出信号の送信及び監視が同期される。その結果、検出信号用のチャネルを監視するためのリソースが最小化される。さらに、受信機が、他の同様の信号ソースからこの信号をいつどのように区別するかをより容易に判断できるので、検出信号を検出するフェムトセル基地局の能力が向上する。例示的な実施例において、検出信号１１４は、ＷＣＤ検出器１１６に対して適当な情報を提供して、ＷＣＤ１０８が基地局１０４の認証されたユーザであることを判断する。
【００１５】
図２Ａ，図２Ｂ及び図２Ｃは、発側基地局１０６及び基地局１０４によって提供された例示的地理的サービスエリアの関係２００，２０６，２０８を描写したものである。発側基地局１０６によって提供された発側地理的サービスエリア２０２及び検出基地局１０４によって提供された地理的サービスエリア２０４は、多くの形状、大きさ、構成のうちの任意のものを有することができる。従って、サービスエリアを示クラウドは、サービスエリア同士の関係を図示するものであり、必ずしもサービスエリアの実際の形状を描写するものではない。さらに、サービスエリアは、サービスが利用できない、サービスエリア内のホールを含み得る。明瞭さと簡潔さのために、そのような特徴は図示しない。図２Ａでは、検出基地局１０４のサービスエリア２０４は、発側基地局１０６によって提供されるサービスエリア２０２内に完全に含まれている。そのようなサービスエリアの関係２００では、通信システム内のいくつかの基地局がミクロセル、ピコセル及びフェムトセル構成等のより小さいサービス地域を提供することが多い。例えば、フェムトセルによる構成では、住宅内におかれ、住宅に住むユーザが用いる装置用のサービスエリアとなるフェムトセルを含み得る。ＷＣＤがサービスエリア２０４の外にある場合、サービスは、より大きいマクロセルによって提供される。しかしながら、認証されたＷＣＤが住宅にある場合、サービスは、より小さなフェムトセルサービスエリア２０４を提示する基地局によって提供される。従って、多くの場合、検出基地局１０４のサービスエリア２０４は、完全に発側基地局１０６のサービスエリア２０２内に完全に含まれる。しかしながら、状況によっては、サービスエリア２０４は、図２Ｂに示したようにサービスエリア２０２と部分的に重なってもよく、図２Ｃに示すように、重ならないがサービスエリア２０２の近くにあってもよい。
【００１６】
図３は、パイロット信号１１２が、発側基地局１０６によって送信された通信パイロット信号１１０の周波数（Ｆ１）と同じ周波数（Ｆ１）を有する通信パイロット信号３０２である無線通信システム１００のブロック図である。検出基地局１０４がＷＣＤは十分に近いと判断すると、基地局１０４は、通信パイロット信号３０２（パイロット信号１１２）を送信し始める。従って、基地局１０４がＷＣＤ１０８の存在を検出するまで通信パイロット信号３０２を送信しないため、通信パイロット信号１１０からの非認証の装置に対する干渉が最小化される。ＣＤＭＡの場合、パイロット信号１１２は、通信パイロット信号１１０において用いられるものとは異なるスクランブルコード（又はＰＮオフセット）を用いてもよい。また、フェムトセルは、その地域の他のネットワーク及び他のフェムトセルと協働して、対応する各パイロット信号を送信するスケジュールを設定し、衝突を最小化し干渉を低減してもよい。
【００１７】
図４は、パイロット信号１１２が発側基地局１０６によって送信された通信パイロット信号１１０の周波数（Ｆ１）と異なる周波数（Ｆ２）を有する通信パイロット信号４０２である無線通信システム１００のブロック図である。検出基地局１０４がＷＣＤは十分に近いと判断すると、基地局１０４は、通信パイロット信号４０２（パイロット信号１１２）を送信し始める。パイロット信号１１２は、パイロット信号１１０と異なる周波数を有するが、システム１００における１つ以上の他の基地局がパイロット信号を送信するために通信のために同じ周波数を用いてもよいので、システム１００における干渉は、低減する。例えば、いくつかのフェムトセル基地局１０４が、マクロセルサービスエリア内のフェムトセルサービスエリア内にサービスを提供する場合、１つ以上のフェムトセル基地局１０４は、マクロセル基地局１０６によって送信された通信パイロット信号１１０の周波数（Ｆ１）とは異なるが、パイロット信号１１２を送信するために同じ周波数（Ｆ２）を用いてもよい。従って、フェムトセル同士の間のパイロット干渉は、認証されたＷＣＤの存在が検出された状況に限定してパイロット送信することで低減する。また、認証されたＷＣＤの検出後のみにパイロット送信を行うことにより、非認証のＷＣＤがフェムトセル基地局（１０４）を取得する可能性を低減する。ＷＣＤが、フェムトセル基地局に「キャンプオン」され、フェムトセル基地局の使用の権限がないにも関わらず、パイロットを受け続ける状況では、装置は、送信不能となり、より重要なことには、受信も不能となる。パイロット送信を認証された装置の検出時にのみ限定することでこれらの状況が生じにくくなる。ＣＤＭＡの場合、パイロット信号１１２は、パイロット信号１１０において用いられるコードとは異なるスクランブルコード（又はＰＮオフセット）を用いてもよい。また、フェムトセルは、その地域のネットワーク及び他のフェムトセルと協働して、パイロット信号を送信するスケジュールを設定してもよい。
【００１８】
図５は、パイロット信号１１２がビーコンパイロット信号５０２である無線通信システム１００のブロック図である。図５に図示した状況について、検出基地局１０４は、発側基地局１０６から送信された通信パイロット１１０の周波数（Ｆ１）と同じ周波数（Ｆ１）を有するビーコンパイロット信号５０２（パイロット信号１１２）を送信する。ビーコン送信に基づいたＯＦＤＭにおいて、周波数Ｆ１は、広帯域チャネルのトーンのうちの１つである。マクロＢＳは、ビーコンのタイミング及びビーコンのトーン位置を認識して、衝突を避ける又は少なくとも最小化している。ビーコンパイロット信号５０２は、基地局１０４が認証されたＷＣＤ１０８の存在を検出するまで送信されない。通信装置１０８が、パイロットビーコン信号５０２を検出すると、ハンドオフが通信システムを介して開始される。検出基地局１０４は、認証されたＷＣＤ２０８の存在を検出してから通信パイロット信号５０４を送信する。検出基地局１０４は、ビーコン信号５０２及び通信パイロット信号５０４を同時に送信し始めてもよい。しかしながら、アクティブ状態又は接続状態では、基地局１０４は、ＷＣＤ１０８が発側基地局１０６から検出基地局１０４にハンドオフされることを示すネットワークからの情報を受信するまでは、通信パイロット信号５０４を送信しない。例示的な実施形態では、装置がアイドル状態にある場合、ネットワークは、如何なる情報も基地局１０４に対して送信しない。アイドルハンドオフの場合について、ビーコンパイロット信号５０２及び通信パイロット信号５０４は、認証されたＷＣＤ１０８が検出されると送信される。そのため、接続状態にある間の典型的なハンドオフのシナリオには、認証されたＷＣＤ１０８の検出とその後のビーコンパイロット信号５０２の送信が含まれる。ＷＣＤは、装置１０８で受信したビーコンパイロット信号５０２の信号の質をシステムインフラストラクチャ１０２に報告し、システムインフラストラクチャ１０２が指示する場合、ハンドオフの手順を開始する。また、システムインフラストラクチャ１０２は、検出基地局１０４に対して適切な周波数（Ｆ２）の通信パイロット信号の送信のトリガとなるハンドオフも通知する。
【００１９】
図６は、検出信号１１４が傍受された上りリンク（逆方向リンク）セルラ信号６０２である例示的な通信システムのブロック図である。システム１００は、様々な通信技術及びセルサイズの何れを用いて実施してもよい。図６を参照して議論した例については、検出基地局１０４は、フェムトセル内の無線サービスを提供し、発側基地局１０６は、マクロセル内のサービスを提供する。基地局１０４，１０６は、ＣＤＭＡのプロトコル及び規格に従って動作する。マクロセルという用語は主に、このグループの多様な技術を、通常基地局あたり１００〜３００フィート程度のより小さなサービスエリアを有するピコセル及びフェムトセルから区別するために用いられる。従って、発側基地局１０６は、図６の例において検出基地局によって提供されるフェムトセルサービスエリアと比較すると、比較的大きい地理的エリア内の無線通信サービスを提供する任意の基地局である。図６の機能ブロックは、ハードウェア、ソフトウェア及び／又はファームウェアの任意の組み合わせを用いて実施してもよい。２つ以上の機能ブロックを、単一の装置に組み合わせてもよいし、任意の単一の装置において行われると説明した機能を、いくつかの装置において実施してもよい。例えば、システムインフラストラクチャ１０２の機能は、状況によって、基地局１０６、基地局コントローラ又は、ＭＳＣによって少なくとも部分的に行ってもよい。
【００２０】
発側基地局１０６は、下りリンク信号６０６を１つ以上の無線通信に送信し、１つ以上の無線通信から上りリンク信号６０２を受信して無線通信サービスを提供する。本明細書において議論するように、無線通信サービスは、任意の通信、制御信号、パイロット信号又は１つ以上のＷＣＤ１０８の動作を少なくとも部分的に容易にする他の通信に関する。従って、無線通信サービスは、装置１０８がアイドル状態又はアクティブ状態にある時にＷＣＤに対して提供されてもよい。
【００２１】
システムインフラストラクチャは、モバイル切換センター（ＭＳＣ）、ＭＳＣ及び基地局コントローラ（ＢＳＣ）の組み合わせ又は、他の類似の通信コントローラとして実装可能なコントローラ６０４を含む。コントローラ６０４は、システムインフラストラクチャ１０２を介して基地局１０４，１０６に接続され、システム１００内の通信を管理する。検出基地局１０４内のネットワークインターフェース６０８は、インターネット６１０との通信を容易にする。ネットワークインターフェース６０８は、パケットデータ通信を提供し、アクセスルータ６１４を介してシステムインフラストラクチャ１０２におけるインターネット及びアクセスゲートウェイ６１２へのアクセスを容易にする。アクセスルータ６１４は、いくつかの基地局１０４に接続されてもよく、通信管理及び制御機能を基地局１０４に対して提供する。状況によっては、アクセスルータ６１４は、基地局１０４において実装されてもよく、あるいは、なくてもよい。ある状況においては、アクセスゲートウェイ６１２と基地局１０４との間の接続には、衛星通信リンク又は二点間マイクロ波リンク等の無線通信リンクを含んでもよい。また、状況によっては、回線交換接続を用いて検出基地局１０４をシステムインフラストラクチャ１０２に接続してもよい。典型的な構成では、デジタル加入者回線（ＤＳＬ）又はＣＡＴＶ接続によって提供されるインターネットサービスプロバイダ（ＩＳＰ）を介して検出基地局１０４をインターネットに接続する。従って、構成によっては、アクセスルータ６１４は、ＤＳＬモデム又はケーブルモデムを含んでもよい。他の構成において、ネットワークインターフェース６０８は、インターネット６１０と直接インターフェースするＤＳＬモデム又はケーブルモデムを含んでもよく、アクセスルータ６１４は必要ない。いずれの構成においても、システムインフラストラクチャ１０２は、少なくとも１つのアクセスゲートウェイ６１２を含むパケット交換コアネットワークを備える。アクセスゲートウェイ６１２は、基地局１０４がシステムインフラストラクチャ１０２と通信できるようにする通信インターフェースである。
【００２２】
ＷＣＤ１０８は、基地局１０４，１０６と通信可能な何れかの種類の通信装置である。ＷＣＤ１０８は、アクセスターミナルとも呼ばれ、無線モデム、携帯情報端末、携帯電話又は他のそのような装置であってもよい。
【００２３】
本明細書において議論した機能及び特徴に加えて、検出基地局１０４は、通信システム１００の通信プロトコルに従って動作する。基地局１０４は、コントローラ６１６と、メモリ６１８と、少なくともセルラ送受信機６２０及びネットワークインターフェース６０８を含む無線インターフェースとを、基地局１０４の機能を実行するための他の装置及びソフトウェアの他に含む。セルラ送受信機６２０は、上りリンク受信機（ＵＬ  ＲＸ）６２２及び下りリンク送信機（ＤＬ  ＴＸ）１１８を含む。図６の例について、ＷＣＤ検出器１２２は、コントローラ６１６、メモリ６１８及び上りリンク受信機６２２を少なくとも部分的に用いて実施される。従って、ＷＣＤ検出器１２２は、検出器１２２がセルラ送受信機６２０、メモリ６１８及び／又はコントローラ６１６を形成する機能及び装置のいくつか又は全てを含んでもよいことを示すために破線ボックスで図示される。
【００２４】
他の情報に加えて、メモリ６１８は、基地局１０４からのサービスを受けることを認証された各通信装置１０８に対応する通信装置の識別値を記憶する。通信装置識別値は、電子シリアル番号（ＥＳＮ）、移動局識別子（ＭＥＩＤ）又は、国際移動電話加入者識別番号（ＩＭＳＩ）又は、ＷＣＤ１０８を識別する他の固有のデータを含んでもよい。メモリに記憶された識別値の群の例には、基地局１０４がサービスを提供する世帯の家族の通信装置に対応したＥＳＮの集合が含まれる。識別値は、数多い技術のうちの何れかを用いて基地局１０４に記憶してもよい。値を記憶する適切な方法の例には、基地局１０４を設置する際に行われる初期化の手順の間に値を記憶することが含まれる。識別値は、コアネットワーク又はマクロ基地局によって少なくとも部分的に提供されてもよい。実施例によっては、識別値を省略するか、基地局１０４により基地局１０４に記憶された対応する識別値を持たない通信装置が基地局１０４からのサービスを受けられるようにしてもよい。以下に説明するように、ＥＳＮを用いて、検出基地局が特定のＥＳＮを有するＷＣＤ１０８から信号を受けられるようにする公衆長符号マスク（ＰＬＣＭ）等の長符号マスクを生成する。他の情報をコアネットワークから受け取り、公知の技術に従ってＰＬＣＭを生成してもよい。状況によっては、コアネットワーク又は基地局は、ＰＬＣＭを特定のＷＣＤ１０８に割り当ててもよい。割り当てられたＰＬＣＭ値は、基地局１０４に記憶される。また、場合によっては、ＰＬＣＭの代わりに又はＰＬＣＭに加えて非公開の長符号マスクを用いてもよい。
【００２５】
動作中、検出基地局１０４は、サービス範囲内にＷＣＤ１０８がない場合、通信パイロット信号１１２を送信しない。しかしながら、検出基地局１０４は、検出信号１１４を含み得る無線チャネルを少なくとも周期的に監視する。検出信号１１４は、限定されるものではないが、登録メッセージ、確認メッセージ、逆方向トラフィックチャネルデータパケット及びシグナリングメッセージを含み得る、通信装置１０８によって送信された任意の信号であってもよい。図６の例について、検出基地局１０４は、ＷＣＤ１０８から発側基地局（マクロセル基地局）１０６に送信するために用いる逆方向リンクセルラチャネルを監視する。セルラ上りリンク受信機６２２を、適当な１つのチャネル又は複数のチャネルに合わせて、ＷＣＤ１０８によって送信された上りリンク信号６０２を検出する。例示的な実施形態では、上りリンク受信機６２２は、上りリンク信号を十分に復調し復号して、長符号マスクを識別する。長符号マスクは、通常はＷＣＤ１０８に対して固有の４２ビットの二進数である。例示的な実施形態において、受信した信号は、長符号マスクのリストと比較されて、信号が認証されたＷＣＤ１０８によって送信されたものかどうかを判断する。上述したように、認証されたＷＣＤは、メモリに記憶された装置識別子によって識別される。例示的な実施形態において、識別子は、認証された装置によって送信された信号の受信を容易にする長符号マスクに直接的又は間接的に対応する。通常、ＰＬＣＭは、ＥＳＮのビットの置換から導出される。ＰＬＣＭは、移動局識別子（ＭＥＩＤ）又は、国際移動電話加入者識別番号（ＩＭＳＩ）に基づいてもよい。基地局１０４は、上りリンク信号の１つ以上の特徴を評価して信号を送信しているＷＣＤが基地局のサービスエリア内にあるかどうか、又は、少なくとも、装置が検出基地局１０４のサービスエリア内にある可能性があるかどうかを判断する。例示的な実施形態において、コントローラ６１６は、上りリンク信号６０２を受信に成功できるかどうか判断する。信号を受信することができる場合、コントローラ６１６は、ＷＣＤ１０８が基地局１０４からサービスを受けるのに十分近いと判断する。場合によっては、ＷＣＤ１０８が基地局１０４のサービスエリア内にない場合でも、上りリンク信号を検出して受信するかもしれない。このような状況においては、ＷＣＤ１０８は、基地局１０４からサービスを取得しようとする試みに失敗、又は、ビーコン信号が基地局１０４から不必要に送信されてしまうだろう。
【００２６】
状況によっては、パイロット信号を送信するかどうかの判断は、信号の検出に加えて識別信号の他の特徴に基づいてもよい。例えば、ＷＣＤ１０８の検出基地局１０４の近傍は、検出信号１１４の特徴に基づいて計算又は予測されてもよく、パイロット信号は、予想された近接が近接閾値よりも小さい場合にだけ送信されてもよい。検出信号の特徴の例には、信号雑音比（ＳＮＲ）、ビット誤り率（ＢＥＲ）、フレーム誤り率（ＦＥＲ）、パケット誤り率（ＰＥＲ）、電力レベル及び、信号伝搬時間が含まれる。
【００２７】
コントローラ６１６は、認証されたＷＣＤ１０８の検出基地局１０４への近接を上りリンク信号の１つ以上の特徴に基づいて決定又は少なくとも予測してもよい。例示的な実施形態において、通信装置１０８からの上りリンク信号を検出することで、通信装置１０８が近接範囲内にあることを十分判断可能である。近接は、通信装置１０８が基地局１０４の範囲内にある可能性があるか、そして、少なくとも基地局１０４から通信サービスを受けることができるかどうかを判断するために用いる。そのため、コントローラ６１６は、通信装置が基地局１０４の範囲内であるかどうかを少なくとも判断する。コントローラが、ＷＣＤが範囲内にある可能性があると判断する場合、通信パイロット信号１１２を下りリンク送信機によって送信する。
【００２８】
コントローラ６１６は、ＷＣＤ１０８の近接以外の要因又は検出信号１１４の検出に基づいてパイロット信号１１２を送信するかどうか判断してもよい。例えば、要因には、検出基地局１０４の利用可能な容量、コアネットワーク要件、ＷＣＤ通信の必要帯域幅及びそのエリアの他の基地局又は通信サービスプロバイダが含まれてもよい。従って、状況によっては、基地局１０４は、ＷＣＤが範囲内にある場合でもパイロット信号を送信しない場合がある。上述したように、検出基地局は、その地域のネットワーク及び他のフェムトセルと協働で、衝突を避け干渉を低減するためにパイロット信号を送信するスケジュールを設定してもよい。ＯＦＤＭシステムでは、リソースを管理するためにＦＦＲ（Ｆｒａｃｔｉｏｎａｌ  Ｆｒｅｑｕｅｎｃｙ  Ｒｅｕｓｅ）をフェムトセル基地局の間で調整してもよい。
【００２９】
図３〜図６を参照して上述したＷＣＤの検出方法は、基地局１０４のサービスエリアに入ってくる第２の及びそれに続くＷＣＤに対して適用してもよいが、パイロット信号１１２をターンオンし送信するかどうかのコントローラ６１６の判断は、基地局１０４のサービスエリアに入る第１のＷＣＤ１０８だけに適用される。基地局１０４のサービスエリアに入る第２及びそれに続くＷＣＤは、第１のＷＣＤにサービスを提供している状態の基地局１０４のサービスエリアに入る時に、低減された電力レベルではあるが基地局１０４の通信パイロット信号がすでにオンであることを検知することもある。以下に図１０及び図１１に関連してさらなる詳細を説明するように、第２の及びそれに続くＷＣＤのために、コントローラ６１６は、追加的なＷＣＤを基地局１０４に接続可能とするために、低減された電力レベルからパイロット信号の電力レベルを高くするかどうかを判断する。
【００３０】
図７は、ＷＣＤの有無が検出信号の検出に基づいて判断される、ＷＣＤ１０８に対する無線サービスの管理方法のフローチャートである。方法は、ハードウェア、ソフトウェア及び／ファームウェアの任意の組み合わせによって行ってもよい。以下に議論するステップの順番は、異なってもよく、状況によっては、１つ以上のステップを同時に行ってもよい。例示的な実施形態において、方法は、検出基地局１０４においてコントローラ６１６のコードを実行することによって少なくとも部分的に行われる。
【００３１】
ステップ７０２では、検出信号を含み得る無線チャネルを監視する。ＷＣＤ検出器１２２は、無線通信チャネル内の入力信号を復調及び／又は復号しようと試みる。例示的な実施形態では、上りリンク受信機（６２２）を合わせてメモリ６１８に記憶されたユーザリストにある任意の通信装置１０８から送信された任意の上りリンク信号６０２を復号する。入力信号が検出されるまで、装置識別値と共に得られた長符号マスクを入力信号に適用する。そのため、この実施例では、入力上りリンク信号６０２は、検出信号１１４となる。Ｂｌｕｅｔｏｏｔｈ信号等の他の種類の検出信号を用いると、ＷＣＤ検出器は、受信した信号の特徴を比較して、受信した信号がユーザリスト内の装置によって送信されたものかどうかを判断する。従って、Ｂｌｕｅｔｏｏｔｈ信号は、メモリ６１８に記憶された装置識別値に対応する識別コードを含んでもよい。状況によっては、ＷＣＤ検出器１２２は、任意の検出信号に対する全てのチャネルを監視するように構成されてもよい。
【００３２】
ステップ７０４では、検出信号１１４を受信したかどうかを判断する。例示的な実施形態において、コントローラ６１６は、入力信号が復号できる場合、検出信号１１４を受信したと判断する。他の状況においては、検出信号内の情報をユーザリストに適用して、受信した信号がユーザリストに記憶された通信装置から受信したものかどうかを判断する。検出信号１１４を受信した場合、方法は、ステップ７０６に続く。そうでなければ、ステップ７０２に戻って無線チャネルの監視を続ける。
【００３３】
ステップ７０５では、検出信号が基地局１０４に接続しようと試みている第１のＷＣＤからの信号であるかどうかの判断を行う。他に基地局１０４に接続されているＷＣＤがない場合、検出したＷＣＤが第１のＷＣＤであり、方法は、ステップ７０８へと進む。そうでなければ、ステップ９５６へ進む。ステップ９５６において、基地局１０４にすでに接続されているＷＣＤが１つ以上ある場合、図１０及び図１１に関連して以下に詳細を述べるように、基地局１０４に接続しようと試みている第２のＷＣＤ又はそれに続くＷＣＤに対して、パイロット信号の電力レベルを低減された電力レベルから公称電力レベルまで引き上げる。
【００３４】
ステップ７０６では、パイロット信号を送信すべきかどうかを判断する。現在、基地局１０４に接続されたＷＣＤが存在しない状況では、パイロット信号をターンオンし送信するかどうかの判断を行う。状況によっては、このステップは省略することができ、パイロット信号は、検出信号が検出された時に送信してもよい。しかしながら、他の状況においては、パイロット信号が送信される前に、追加的な処理又は通信が開始されて発生することがある。例えば、検出基地局１０４、他の基地局、コアネットワーク及び／又は代替的ネットワークのシステム条件を評価して、検出基地局１０４へのハンドオフを検出するかどうか判断することもできる。さらに、検出基地局１０４は、識別されたＷＣＤが検出基地局１０４のサービスエリア内に在圏するかもしれないことを示すメッセージをコアネットワークに送信してもよい。コアネットワークは、必要な帯域幅又は他のパラメータを評価してもよいし、パイロット信号を送信すべきかどうかについての指示を検出基地局に提供してもよい。パイロット信号を送信すべきと判断した場合、方法は、ステップ７０８に続く。そうでなければ、ステップ７０２に戻る。
【００３５】
ステップ７０８では、パイロット信号を送信する。基地局１０４に接続しようと試みている検出された第１のＷＣＤについて、パイロット信号をターンオンする。そしてその後、図１０及び図１１に関連して以下に議論するように、第１のＷＣＤに対してパイロット信号の電力レベルを低減する。状況によっては、パイロット信号は、通信パイロット信号であってもよいし、ビーコンパイロット信号であってもよい。状況によっては、通信パイロット信号及びビーコンパイロット信号の両方を送信する。
【００３６】
ステップ７１０では、基地局１０４が任意のＷＣＤにサービスを提供しているかどうかを判断する。少なくとも１つの無線装置１０８が基地局１０４と通信している場合、ステップ７０８に戻ってパイロット信号の送信を続ける。基地局１０４と通信しているＷＣＤ１０８がない場合、基地局１０４は、ステップ７１２でパイロット信号の送信を停止し、ステップ７０２に戻る。無線サービスを提供することには、通信サービスをアクティブ状態の装置１０８に提供すること及び、例えば、着信からのページ、ＳＭＳ、登録、管理に関するサービス等の他のサービスを、アイドル状態の装置に提供することが含まれる。従って、検出基地局は、何れかのＷＣＤ１０８がアクティブ状態にあり検出基地局と通信しているかどうかを判断すると共に、何れかの装置がアイドル状態にあるかどうかも判断する。検出基地局が、セル内にアクティブ状態の装置１０８がないと判断する場合、基地局１０４は、セル内にアイドル状態の装置１０８がまだ存在するかどうかを判断する。検出基地局は、アイドル状態の装置１０８が検出基地局１０４の範囲内にまだ存在するかどうか判断するためのいくつかの方法のうちのどの方法を用いてもよい。適当な一例には、ＷＣＤ１０８が検出基地局に周期的に登録する場合、アイドル状態の装置から時間に基づく登録を要求することが含まれる。検出基地局が登録しているアイドル状態の装置がないと判断する場合、基地局は、無線サービスを受けている装置がないものと判断する。他の適当な例には、ＷＣＤ１０８が発側基地局１０６等の他の基地局に登録されたことを示すメッセージをコアネットワークから受けることが含まれる。コアネットワークのメッセージに基づいて、以前登録された装置の全てが、他の基地局に移動したと判断される場合、検出基地局１０４は、無線サービスを受けている通信装置がないと判断する。他の適切な例には、検出基地局１０４が指示メッセージ（Ｏｄｅｒ  Ｍｅｓｓａｇｅ）をアイドル状態にある可能性のある装置に周期的に送信するリクエスト及び確認メッセージ構成を含むことが含まれる。確認メッセージを受け取らない場合、検出基地局は、装置１０８がもはやセルにはないと判断する。まだセル内にある以前検出された装置１０８がない場合、検出基地局１０４は、無線サービスを受けているＷＣＤ１０８がないと判断し、パイロット信号がターンオフされるステップ７１２に続く。
【００３７】
図８は、検出信号が認証されたＷＣＤ１０８によって送信された上りリンク信号である、パイロット信号の送信を管理する方法のフローチャートである。方法は、ハードウェア、ソフトウェア及び／ファームウェアの任意の組み合わせによって行ってもよい。以下に議論するステップの順番は、異なってもよく、状況によっては、１つ以上のステップを同時に行ってもよい。例示的な実施形態において、方法は、検出基地局１０４においてコントローラ６１６のコードを実行することによって少なくとも部分的に行われる。
【００３８】
ステップ８０２では、ユーザリストにある認証された通信装置と対応するＰＬＣＭと共に送信される上りリンク信号を求めて上りリンクチャネルを監視する。ＷＣＤ検出器は、装置識別値から得られたＰＬＣＭを用いて入力信号を復号する試みを行う。ＥＩＮ、ＭＥＩＤ又はＩＭＳＩ等の装置識別子を、公知の技術及びマクロ基地局の規約に従って適用し、認証された装置ごとにＰＬＣＭを生成する。復調された信号は、ＰＬＣＭを用いて復号されて入力信号の復号を試みる。場合によっては、ＰＬＣＭは、基地局によって割り当てられてもよい。
【００３９】
ステップ８０４では、上りリンク信号を認証されたＷＣＤ１０８から受信したかどうかを判断する。入力信号が復号に成功した場合、コントローラ６１６は、検出信号を受信したと判断する。そうでなければ、ステップ８０２に戻って上りリンクチャネルの監視を続ける。
【００４０】
ステップ８０５では、検出信号が基地局１０４に接続しようと試みている第１のＷＣＤからであるかどうかの判断を行う。基地局１０４に接続されているＷＣＤが他にない場合、検出されたＷＣＤが第１のＷＣＤであり、方法は、ステップ８０６へと進む。そうでなければ、ステップ９５６へ進む。ステップ９５６において、基地局１０４にすでに接続されているＷＣＤが１つ以上ある場合、図１０及び図１１に関連して以下に詳細を述べるように、基地局１０４に接続しようと試みている第２のＷＣＤ又はそれに続くＷＣＤに対して、パイロット信号の電力レベルを低減された電力レベルから公称電力レベルまで引き上げる。
【００４１】
ステップ８０６では、基地局１０４はターンオンし、第１のＷＣＤ用のパイロット信号を送信する。基地局１０４に接続する検出された第１のＷＣＤについて、パイロット信号の送信は、単にパイロットをターンオンすることが含まれる。そしてその後、図１０及び図１１に関連して以下に議論するように、第１のＷＣＤに対しパイロット信号の電力レベルを低減する。
【００４２】
図９は、ＷＣＤ１０８の検出基地局に対する近接が検出信号に基づいて判断される、パイロット信号の送信を管理する方法のフローチャートである。方法は、ハードウェア、ソフトウェア及び／ファームウェアの任意の組み合わせによって行ってもよい。以下に議論するステップの順番は、異なってもよく、状況によっては、１つ以上のステップを同時に行ってもよい。例示的な実施形態において、方法は、検出基地局１０４においてコントローラ６１６のコードを実行することによって少なくとも部分的に行われる。
【００４３】
ステップ９０２では、検出信号を含み得る無線チャネルを監視する。ＷＣＤ検出器１２２は、無線通信チャネル内の入力信号を復調及び／又は復号しようと試みる。
【００４４】
ステップ９０４では、検出信号の特徴を測定する。電力レベルや信号伝搬時間等の１つ以上のパラメータを測定する。
【００４５】
ステップ９０６では、通信装置１０８の検出基地局１０４への近接を計算する。近接の計算は、任意の数のパラメータ又は受信した検出信号の特徴及び、他の要因に基づいてもよい。適切なパラメータの例には、信号電力レベル及び送信と受信時間のタイミングオフセットに関連したパラメータが含まれる。他の関連要因には、送信電力レベル、１つ以上の基地局の位置及び、検出信号から抽出された情報及び、タイムスタンプ、電力レベル指標及び、電力制御指標等の下りリンク信号から抽出された情報を含んでもよい。状況によっては、近接は、図７を参照して議論したように、上りリンク信号の検出のみに基づいて決まる。特定の要因及び計算技術は通信システム１００の種類に基づいて決まる。
【００４６】
ステップ９０８において、通信装置１０８がパイロット信号の送信を妥当と判断するほど検出基地局１０４に近いかを判断する。計算された近接を閾値と比較する。例示的な実施形態において、近接は、検出信号が検出される場合、近接閾値よりも小さくなるように決定される。近接が閾値よりも小さい場合、方法は、ステップ９０９へと続く。近接が閾値以上である場合、方法は、ステップ９０２に戻る。 
【００４７】
ステップ９０９において、検出信号が基地局１０４に接続しようと試みている第１のＷＣＤからの信号であるかどうかの判断を行う。基地局１０４に接続されているＷＣＤが他にない場合、検出されたＷＣＤが第１のＷＣＤであり、方法は、ステップ９１０へと進む。そうでなければ、ステップ９５６へ進む。ステップ９５６において、基地局１０４にすでに接続されているＷＣＤが１つ以上ある場合、図１０及び図１１に関連して以下に詳細を述べるように、基地局１０４に接続しようと試みている第２のＷＣＤ又はそれに続くＷＣＤのために、パイロット信号の電力レベルを低減された電力レベルから公称電力レベルまで引き上げる。
【００４８】
ステップ９１０では、基地局１０４に接続しようと試みる検出された第１のＷＣＤについて、パイロット信号の送信は、単純にパイロット信号をターンオンすることである。そしてその後、図１０及び図１１に関連して以下に述べるように、第１のＷＣＤに対しパイロット信号の電力レベルを低減する。
【００４９】
状況によっては、ステップ９１０は、省略してもよく、基地局１０４は、近接情報を他の情報と併せてコアネットワークに送信することによって、システム１００が、通信装置１０８が検出基地局１０４からサービスを取得すべきかどうかの判断を行い、検出基地局１０４がパイロット信号を送信する（又は、その電力を増加する）べきかどうかの判断を行うことができるようにしてもよい。
【００５０】
ステップ９１２では、基地局１０４が何れかのＷＣＤにサービスを提供しているかどうかを判断する。少なくとも１つの無線装置１０８が基地局１０４と通信している場合、ステップ９１０に戻ってパイロット信号の送信を続ける。基地局１０４と通信しているＷＣＤ１０８がない場合、基地局１０４は、ステップ９１４でパイロット信号の送信を停止し、ステップ９０２に戻る。
【００５１】
上述したように、無線サービスを提供することには、通信サービスをアクティブ状態の装置１０８に提供すること及び、例えば、登録及び管理に関するサービス等の他のサービスを、アイドル状態の装置に提供することが含まれる。従って、検出基地局は、アクティブ状態にあり、検出基地局と通信している無線通信装置１０８があるかどうかを判断すると共に、アイドル状態にある装置があるかどうかも判断する。検出基地局が、セル内にアクティブ状態の装置１０８がないと判断する場合、基地局１０４は、セル内にアイドル状態の装置１０８がまだ存在しているかどうかを判断する。検出基地局は、アイドル状態の装置１０８が検出基地局１０４の範囲内にまだ存在しているかどうか判断するためのいくつかの方法のうちの何れかの方法を用いてもよい。適当な一例には、無線通信装置１０８が検出基地局に周期的に登録する場合、アイドル状態の装置から時間に基づく登録を要求することが含まれる。検出基地局が登録しているアイドル状態の装置がないと判断する場合、無線通信装置は、無線サービスを受けている装置がないものと判断する。他の適当な例には、無線通信装置１０８が、例えば、発側基地局１０６等の他の基地局に登録されたことを示すメッセージをコアネットワークから受けることが含まれる。コアネットワークのメッセージに基づいて、以前登録された装置が全て、他の基地局に移動されたと判断される場合、検出基地局１０４は、無線サービスを受けている通信装置がないと判断する。他の適切な例には、検出基地局１０４が指示メッセージ（Ｏｄｅｒ  Ｍｅｓｓａｇｅ）をアイドル状態にある可能性のある装置に定期的に送信するリクエスト及び確認メッセージ構成を含むことが含まれる。確認メッセージを受け取らない場合、検出基地局は、装置１０８がもはやセル内にはないと判断する。まだセル内にあると判断される以前検出された装置１０８がない場合、検出基地局１０４は、無線サービスを受けている無線通信装置１０８がないと判断し、方法は、パイロット信号がターンオフされるステップ９１４を続ける。
【００５２】
図１０及び図１１は、基地局１０４が第１のＷＣＤを含む１つ以上のＷＣＤに通信サービスをすでに提供している間に第２の又はそれに続く認証されたＷＣＤが検出基地局１０４の範囲に入る時のパイロット信号の送信のシナリオを説明するものである。
【００５３】
図１０は、基地局１０４が第１のＷＣＤ１０８ａに対して通信サービスを提供している間に第２の認証されたＷＣＤ１０８ｂが検出基地局１０４の範囲に入るシナリオを説明する、通信システムのブロック図である。この状態では、第１のＷＣＤ１０８ａは、基地局１０４によって処理されているアクティブな呼を有する。第１及び第２のＷＣＤ１０８ａ，１０８ｂはそれぞれＷＣＤ１０８について本明細書に開示した機能及び特徴の全てを含む。ＷＣＤ１０８ａ，１０８ｂのそれぞれは、上述したように検出されて基地局１０４に接続されてもよい。
【００５４】
このシナリオは、基地局１０４が第１のＷＣＤ１０８ａの存在をすでに検出しており、接続した状態（アクティブ状態）で第１のＷＣＤ１０８ａにサービスを提供しているケースに対処する。通信パイロット信号９３２は、ターンオフされていないが、電力は低減されており、通信システムのマクロセルネットワークとの干渉を最小化する。パイロット信号の電力の低減の程度は、基地局１０４と第１のＷＣＤ１０８ａとの間のエアリンクの質によって決まる。エアリンクの質が高いほど、パイロット電力の低減は大きくなる。エアリンクの質は、測定された経路損失、干渉又はその組み合わせ及び／又は第１のＷＣＤ１０８ａにおける受信した信号の質によって決めてもよい。経路損失及び干渉が小さければ、パイロット信号電力の低減が大きくなる。逆に、第１のＷＣＤ１０８ａにおいて受信した信号の質が低いほど、パイロット信号電力における低減が少なくなる。
【００５５】
しかしながら、パイロット信号の電力レベルの低減は、基地局１０４のカバレッジも低減することを意味する。第２のＷＣＤ１０８ｂが基地局１０４によって提供されるゾーンに入る時に、第２のＷＣＤ１０８ｂは、パイロット信号の電力レベルが低減されているために基地局１０４において動作できなくなる可能性がある。実際、第２のＷＣＤ１０８ｂは、基地局１０４もマクロセル基地局１０６も第２のＷＣＤ１０８ｂにとって利用可能でないカバレッジホールに入ってしまう可能性がある。
【００５６】
これを防止するため、基地局１０４は、第２のＷＣＤ１０８ｂ又はそれに続くＷＣＤが基地局１０４によって検出されると、通信パイロット信号を公称信号強度まで戻す。公称信号強度は、現在値であってもよく、ある動作条件によって決めてもよい。例えば、公称パイロット信号強度は、公称取得電力レベルであってもよく、又は、第１のＷＣＤを検出基地局１０４に接続する際に通常送信されるパイロット信号の電力レベルであってもよい。パイロット信号を公称信号強度に戻すことで、第２のＷＣＤ１０８ｂが基地局１０４に接続できるようになる。基地局１０４は、第１及び第２のＷＣＤ１０８ａ，１０８ｂに接続に成功すると、パイロット信号の電力レベルを再び低減することにより、他の基地局又は装置への干渉を低減する。パイロット信号の電力レベルを上下するプロセスは、基地局１０４のサービスエリアに入ってくる追加的なＷＣＤ１０８に対して繰り返されてもよい。
【００５７】
この場合の基地局１０４の動作の詳細は以下の通りである。基地局１０４の無線インターフェースは、低減された電力レベルで基地局１０４から発せられた通信パイロット信号を用いて第１のＷＣＤ１０８ａに対してサービスを提供する。パイロット低減モードでは、ＷＣＤ検出器１２２は、上述した検出技術のうちの何れかを用いて基地局１０４のサービスエリア内にある第２のＷＣＤ１０８ｂを検出する。例えば、図７のステップ７０２〜７０４、図８のステップ８０２〜８０４及び／又は図９のステップ９０２〜９０８を用いて第２のＷＣＤ１０８ｂを検出してもよい。第２のＷＣＤ１０８ｂを検出すると、コントローラ６１６は、第２のＷＣＤ１０８ｎとの通信を確立するためにパイロット信号の電力レベルを低減された電力レベルよりも高くする。通常は、コントローラ６１６は、通信パイロット信号の電力レベルを公称強度まで戻す。
【００５８】
パイロット低減モードは、干渉を最小化するために基地局１０４が１つ以上の認証されたＷＣＤにサービスを提供している間に、基地局１０４の通信パイロット信号の電力を低減するモードである。電力低減の量は、基地局１０４と認証されたＷＣＤとの間のエアリンクの質によって決まる。エアリンクの質が高いほど、通信パイロット信号の潜在的な低減は大きくなる。
【００５９】
図１１は、第２の認証されたＷＣＤ１０８ｂが検出された場合に基地局１０４から発せられるパイロット信号の送信を管理する方法のフローチャートである。方法は、ハードウェア、ソフトウェア及び／ファームウェアの任意の組み合わせによって行ってもよい。以下に議論するステップの順番は、異なってもよく、状況によっては、１つ以上のステップを同時に行ってもよい。例示的な実施形態において、方法は、検出基地局１０４においてコントローラ６１６のコードを実行することによって少なくとも部分的に行われる。
【００６０】
ステップ９５０において、基地局１０４は、第２のＷＣＤ１０８ｂを検出する。第２のＷＣＤ１０８ｂは、これまでに議論したように、本明細書に開示した検出技術の何れかを用いてＷＣＤ検出器１２２によって検出することができる。例えば、図７のステップ７０２〜７０４、図８のステップ８０２〜８０４及び／又は図９のステップ９０２〜９０８を用いて第２のＷＣＤ１０８ｂを検出してもよい。第２のＷＣＤ１０８ｂが検出される場合、方法は、ステップ９５２に進み、そうでなければ、基地局１０４は、そのサービスゾーンに入る可能性のある任意の追加的ＷＣＤを求めて監視を続ける。
【００６１】
ステップ９５２において、基地局コントローラ６１６は、通信パイロット信号が現在送信されているかどうかを判断するための確認を行う。送信されていれば、これは、基地局１０４が現在第１のＷＣＤ１０８ｂにサービスを提供していることを示している。パイロット信号がオンでない場合、ステップ９５６へ進み、コントローラ６１６は、基地局の通信パイロット信号の電力を公称強度まで増加する。パイロット信号がすでに送信されている場合、コントローラ６１６は、基地局１０４がパイロット低減モードで動作しているかどうかを判断するための確認を行う（ステップ９５４）。
【００６２】
基地局１０４がパイロット低減モードで動作している場合、コントローラ６１６によってパイロット信号の電力レベルを公称電力強度まで上げる（ステップ９５６）。そうでなければ、方法は終了する。
【００６３】
ステップ９５６において、パイロット信号を公称信号強度まで戻す前に、第１のＷＣＤ１０８ａの送信（Ｔｘ）電力レベルを、第１のＷＣＤ１０８ａとの接続を失わないようにするために調整する必要となる場合がある。このステップにおいて、ＢＳ１０４は、第１のＷＣＤのＴｘ電力レベルを一定に維持しようと試みる、又は、少なくともＴｘ電力の低減及び、パイロット信号の電力レベルの変更による変化を最小化しようと試みる。Ｔｘ電力を調整せずにパイロット信号を公称強度に戻すと、第１のＷＣＤ１０８ａとＢＳ１０４との間の逆方向リンクを混乱させるおそれがある。開ループ評価は、逆方向電力制御の一部であるため、順方向のパイロット電力をあまりに急激に増加すると、逆方向リンクの電力（第１のＷＣＤ１０８のＴｘ電力）を実質的に低減し、望まない動作ポイントで動作させてしまうことがある。第１のＷＣＤ１０８ａに対する閉ループの電力制御は、最終的に逆方向リンクの電力を適切な動作レベルに調整するが、この混乱は避けなければならない。この混乱を防止するために、コントローラ６１６は、逆方向の閉ループ電制御が過度に混乱することなく変更を訂正することができるように、基地局のパイロット信号電力を短い間に公称信号強度に徐々に戻すように構成される。あるいは、基地局コントローラ６１６は、積極的な手段として、パイロット信号を公称信号強度に戻す前に、基地局１０４に連続した「ＵＰ」の電力制御コマンドを第１のＷＣＤ１０８ａに対して発行させるように構成されてもよい。ＵＰ電力制御コマンドは、トラフィックチャネルの電力制御サブチャネルにおいて第１のＷＣＤ１０８ａに送信されてもよい。
【００６４】
本発明の他の実施形態及び変更例は、これらの教示に鑑み当業者にとっては容易に想到しうることである。上記の説明は、例示的であり限定的ではない。本発明は、上記の明細書及び添付の図面を併せてみると、そのような他の実施形態及び変更例の全てを網羅する以下の請求項によってのみ限定される。そのため、本発明の範囲は、上記の説明に限定されるべきものではなく、全ての範囲の同等物と共に添付の請求項を参照することで判断されるべきである。
【図１】
0005439580.tif 000002
【図２Ａ】
0005439580.tif 000003
【図２Ｂ】
0005439580.tif 000004
【図２Ｃ】
0005439580.tif 000005
【図３】
0005439580.tif 000006
【図４】
0005439580.tif 000007
【図５】
0005439580.tif 000008
【図６】
0005439580.tif 000009
【図７】
0005439580.tif 000010
【図８】
0005439580.tif 000011
【図９】
0005439580.tif 000012
【図１０】
0005439580.tif 000013
【図１１】
0005439580.tif 000014